【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
現場注入熱硬化性発泡体パネルの低温貯蔵用途での使用であって、該熱硬化性発泡体が、５０から７５モル％のトランス−１−クロロ−３，３，３−トリフルオロプロペンおよび２５から５０モル％のシクロペンタンを含む発泡剤組成物を含む、使用。
【請求項２】
該発泡剤組成物が、６５から７５モル％のトランス−１−クロロ−３，３，３−トリフルオロプロペンおよび３５から５０モル％のシクロペンタンを含む請求項１に記載の使用。
【請求項３】
該発泡体が、２０°Ｆ（−６．６７℃）での２８日間の経時変化後に０．１５ＢＴＵ  ｉｎ／ｆｔ２ｈ°Ｆ（０．０２１６Ｗ／ｍ・Ｋ）未満のＫ値を有する請求項１または２に記載の使用。
【請求項４】
該発泡体が、２０°Ｆ（−６．６７℃）での２８日間の経時変化後に０．１３ＢＴＵ  ｉｎ／ｆｔ２ｈ°Ｆ（０．０１８７Ｗ／ｍ・Ｋ）未満のＫ値を有する請求項１または２に記載の使用。
【請求項５】
該発泡体が、５５°Ｆ（１２．８℃）での２８日間の経時変化後に０．１４ＢＴＵ  ｉｎ／ｆｔ２ｈ°Ｆ（０．０２０２Ｗ／ｍ・Ｋ）未満のＫ値を有する請求項１または２に記載の使用。
【請求項６】
該発泡剤組成物が、さらにイソペンタンを含む、請求項１〜５のいずれかに記載の使用。
【請求項７】
該発泡剤組成物が、水、ＣＯ２および／またはＣＯを生成する有機酸、炭化水素、エーテル、ハロゲン化エーテル、エステル、アルコール、アルデヒド、ケトン、ペンタフルオロブタン、ペンタフルオロプロパン、ヘキサフルオロプロパン、ヘプタフルオロプロパン、トランス−１，２−ジクロロエチレン、メチラール、ギ酸メチル、１，１，１，４，４，４−ヘキサフルオロブタ−２−エン（シスＨＦＯ−１３３６ｍｚｚｍを含むＨＦＯ−１３３６ｍｚｚｍ）、ブタン、イソブタン、およびそれらの組合せからなる群より選択される、１種以上の他の発泡剤をさらに含む、請求項１〜６のいずれかに記載の使用。
【請求項８】
該発泡剤組成物が、１，１，１，２−テトラフルオロエタン（ＨＦＣ−１３４ａ）、１，１，２，２−テトラフルオロエタン（ＨＦＣ−１３４）、１−クロロ−１，１−ジフルオロエタン（ＨＣＦＣ−１４２ｂ）、１，１，１，３，３−ペンタフルオロブタン（ＨＦＣ−３６５ｍｆｃ）、１，１，１，２，３，３，３−ヘプタフルオロプロパン（ＨＦＣ−２２７ｅａ）、トリクロロフルオロメタン（ＣＦＣ−１１）、ジクロロジフルオロメタン（ＣＦＣ−１２）、ジクロロフルオロメタン（ＨＣＦＣ−２２）、１，１，１，３，３，３−ヘキサフルオロプロパン（ＨＦＣ−２３６ｆａ）、１，１，１，２，３，３−ヘキサフルオロプロパン（ＨＦＣ−２３６ｅ）、ジフルオロメタン（ＨＦＣ−３２）、１，１−ジフルオロエタン（ＨＦＣ−１５２ａ）、１，１，１，３，３−ペンタフルオロプロパン（ＨＦＣ−２４５ｆａ）、およびこれらの組合せからなる群より選択される、１種以上の他の発泡剤をさらに含む、請求項１〜７のいずれかに記載の使用。
【請求項９】
該発泡剤組成物が、トランス−１−クロロ−３，３，３−トリフルオロプロペンおよびシクロペンタンからなる、あるいはトランス−１−クロロ−３，３，３−トリフルオロプロペン、シクロペンタン、およびイソペンタンからなる、請求項１〜５のいずれかに記載の使用。
【請求項１０】
該発泡剤組成物が、５００以下の地球温暖化係数（ＧＷＰ）を有する、請求項１〜９のいずれかに記載の使用。
【請求項１１】
該発泡剤組成物が、１５０以下の地球温暖化係数（ＧＷＰ）を有する、請求項１〜９のいずれかに記載の使用。
【請求項１２】
該発泡剤組成物が、０．０５以下のオゾン層破壊係数（ＯＤＰ）を有する、請求項１〜１１のいずれかに記載の使用。
【請求項１３】
該発泡剤組成物が、０．０２以下のオゾン層破壊係数（ＯＤＰ）を有する、請求項１〜１１のいずれかに記載の使用。
【請求項１４】
該発泡剤組成物が、０のオゾン層破壊係数（ＯＤＰ）を有する、請求項１〜１１のいずれかに記載の使用。
【請求項１５】
該発泡体が、０．５ポンド／立方フィート（０．００８ｋｇ／ｍ３）から６０ポンド／立方フィート（０．９６１ｋｇ／ｍ３）の密度を有する、請求項１〜１４のいずれかに記載の使用。
【請求項１６】
該低温貯蔵用途が、ウォークイン式の冷蔵庫または冷凍庫、商業的冷凍、工業的な冷蔵庫または冷凍庫、ＩＳＯ規格のコンテナ、あるいは低温材料を輸送するために使用されるコンテナ用途である、請求項１〜１５のいずれかに記載の使用。
【請求項１７】
該発泡体が、ポリウレタン発泡体またはポリイソシアヌラート発泡体である、請求項１〜１６のいずれかに記載の使用。
【請求項１８】
請求項１〜１４のいずれかに記載の発泡剤組成物を含む、ポリウレタンまたはポリイソシアヌラート現場注入発泡体パネルを形成するためのポリオールプレミックス。
【請求項１９】
物品を室温未満の温度に維持するための低温貯蔵ユニットであって、
複数の独立気泡を有する熱硬化性ポリマーと、請求項１〜１４のいずれかに記載の発泡剤組成物とを含む断熱現場注入発泡体を含み、
該発泡体のＫ値が２０°Ｆ（−６．６７℃）での２８日間の経時変化後に０．１５ＢＴＵ  ｉｎ／ｆｔ２ｈ°Ｆ（０．０２１６Ｗ／ｍ・Ｋ）以下である、低温貯蔵ユニット。
【請求項２０】
ウォークイン式の冷蔵庫または冷凍庫、商業的冷凍、工業的な冷蔵庫または冷凍庫、ＩＳＯ規格のコンテナ、あるいは低温材料を輸送するために使用されるコンテナである、請求項１９に記載の低温貯蔵ユニット。
【手続補正２】
【補正対象書類名】明細書
【補正対象項目名】００９４
【補正方法】変更
【補正の内容】
【００９４】
表１３によると、評価した１２３３ｚｄ（Ｅ）／炭化水素ブレンドのいずれかを含有する発泡体と比較すると、１２３３ｚｄ（Ｅ）を含有する発泡体は最高の難燃性を有する。炭化水素を含有する発泡体について、シクロペンタンを含有する発泡体とは違って、イソペンタンおよびｎ−ペンタンを含有する発泡体は、Ｂ２評価要件を満たさなかった。データから、１２３３ｚｄ（Ｅ）を添加すると、イソペンタン、ｎ−ペンタンまたはシクロペンタンを含有する発泡体の難燃性が向上する。
本発明は以下の実施態様を含む。
（１）複数の独立気泡を有する熱硬化性ポリマーと、複数の該独立気泡に含まれる気体状組成物とを含む断熱発泡体であって、該気体状組成物が約２５モル％超から約７５モル％未満のトランス−１−クロロ−３，３，３−トリフルオロプロペンおよび２５モル％超から約７５モル％未満のシクロペンタン、イソペンタン、ｎ−ペンタンおよびそれらの２種以上の組合せから成る群より選択される第二成分を含み、該割合が該トランス−１−クロロ−３，３，３−トリフルオロプロペンと該第二成分の総量を基準としている、断熱発泡体。
（２）該Ｋ値が２０°Ｆでの２８日間の経時変化後に約０．１５以下である（１）に記載の断熱発泡体。
（３）該Ｋ値が２０°Ｆでの２８日間の経時変化後に約０．１３以下である（１）に記載の断熱発泡体。
（４）該第二成分が約６０モル％未満の量で存在する（１）に記載の断熱発泡体。
（５）該第二成分が約５０モル％未満の量で存在する（１）に記載の断熱発泡体。
（６）該第二成分が約５０モル％超から約７５モル％未満の量でｎ−ペンタンを含む（１）に記載の断熱発泡体。
（７）該Ｋ値が２０°Ｆでの２８日間の経時変化後に約０．１４以下である（６）に記載の断熱発泡体。
（８）該Ｋ値が４０°Ｆでの２８日間の経時変化後に約０．１４以下である（６）に記載の断熱発泡体。
（９）該第二成分がイソペンタンを含む（１）に記載の断熱発泡体。
（１０）該第二成分が本質的にイソペンタンから成る（１）に記載の断熱発泡体。
（１１）該Ｋ値が４０°Ｆでの２８日間の経時変化後に約０．１５以下である（１０）に記載の断熱発泡体。
（１２）該第二成分が約５０モル％未満の量でシクロペンタンを含む（１）に記載の断熱発泡体。
（１３）該Ｋ値が２０°Ｆでの２８日間の経時変化後に約０．１３以下である（１２）に記載の断熱発泡体。
（１４）該Ｋ値が５５°Ｆでの２８日間の経時変化後に約０．１４以下である（１２）に記載の断熱発泡体。
（１５）該第二成分がシクロペンタンを含む（１）に記載の断熱発泡体。
（１６）該第二成分が本質的にシクロペンタンから成る（１）に記載の断熱発泡体。
（１７）該Ｋ値が５５°Ｆでの２８日間の経時変化後に約０．１４以下である（１６）に記載の断熱発泡体。
（１８）該Ｋ値が２０°Ｆでの２８日間の経時変化後に約０．１３以下である（１６）に記載の断熱発泡体。
（１９）（１）に記載の該発泡体を含む現場注入発泡パネル。
（２０）該気体状組成物が、トランス−１−クロロ−３，３，３−トリフルオロプロペンとシクロペンタンとのブレンドを含む（１９）に記載の現場注入発泡パネル。
（２１）シクロペンタンが約２５モル％超から約７５モル％の量で存在する（２０）に記載の現場注入発泡パネル。
（２２）（１）に記載の発泡体を含む断熱物品。
（２３）トランス−１−クロロ−３，３，３−トリフルオロプロペンおよび第二成分の総量を基準として、該トランス−１−クロロ−３，３，３−トリフルオロプロペンを約２５モル％超から約７５モル％未満およびシクロペンタン、イソペンタン、ｎ−ペンタンおよびそれらの２種以上の組合せから成る群より選択される該第二成分を２５モル％超から約７５モル％未満を含む発泡剤組成物を含むポリウレタンまたはポリイソシアヌラート現場注入発泡パネルを形成するためのポリオールプレミックス。
（２４）該ポリオール成分がプレミックスの約６０重量％〜約９５重量％の量で存在し、該発泡剤組成物が約１重量％〜約３０重量％の量で存在する（２３）に記載のポリオールプレミックス。
（２５）該発泡剤組成物が、トランス−１−クロロ−３，３，３−トリフルオロプロペンまたは該第二成分以外で、水、ＣＯ２および／またはＣＯを生成する有機酸、炭化水素；エーテル、ハロゲン化エーテル；エステル、アルコール、アルデヒド、ケトン、ペンタフルオロブタン；ペンタフルオロプロパン；ヘキサフルオロプロパン；ヘプタフルオロプロパン；トランス−１，２−ジクロロエチレン；メチラール、ギ酸メチル、１−クロロ−１，２，２，２−テトラフルオロエタン（ＨＣＦＣ−１２４）；１，１−ジクロロ−１−フルオロエタン（ＨＣＦＣ−１４１ｂ）；１，１，１，２−テトラフルオロエタン（ＨＦＣ−１３４ａ）；１，１，２，２−テトラフルオロエタン（ＨＦＣ−１３４）；１−クロロ−１，１−ジフルオロエタン（ＨＣＦＣ−１４２ｂ）；１，１，１，３，３−ペンタフルオロブタン（ＨＦＣ−３６５ｍｆｃ）；１，１，１，２，３，３，３−ヘプタフルオロプロパン（ＨＦＣ−２２７ｅａ）；トリクロロフルオロメタン（ＣＦＣ−１１）；ジクロロジフルオロメタン（ＣＦＣ−１２）；ジクロロフルオロメタン（ＨＣＦＣ−２２）；１，１，１，３，３，３−ヘキサフルオロプロパン（ＨＦＣ−２３６ｆａ）；１，１，１，２，３，３−ヘキサフルオロプロパン（ＨＦＣ−２３６ｅ）；１，１，１，２，３，３，３−ヘプタフルオロプロパン（ＨＦＣ−２２７ｅａ），ジフルオロメタン（ＨＦＣ−３２）；１，１−ジフルオロエタン（ＨＦＣ−１５２ａ）；１，１，１，３，３−ペンタフルオロプロパン（ＨＦＣ−２４５ｆａ）；１，３，３，３−テトラフルオロプロペン（ＨＦＯ−１２３４ｚｅ）；１，１，１，４，４，４−ヘキサフルオロブタ−２−エン（ＨＦＯ−１３３６ｍｚｚｍ）；ブタン；イソブタン；およびそれらの組合せから成る群より選択される少なくとも１種の追加の発泡剤をさらに含む（２４）に記載のポリオールプレミックス。
（２６）シリコーン界面活性剤、非シリコーン界面活性剤、金属触媒、アミン触媒、難燃剤、およびそれらの組合せから成る群より選択される１種以上の追加の薬剤をさらに含む（２４）に記載のポリオールプレミックス。